(57)【要約】【課題】冬場においても温かい水を供給することが出来る小動物飲用容器の提供。【解決手段】本発明の小動物飲用容器（１０、１１、２０、２１、２２、２３、２４、２５、２６、３０、３０−１、４０、４０−１）は、一端（上端）が開放し且つ他端（下端）が閉鎖した円筒形状の第１及び第２の部材（１、３１、４１）、（２、３２、４２）を備え、第１の部材（１、３１、４１：上方部材）の閉鎖端部（１Ｂ、３１Ｂ、４１Ｂ：底部）が第２の部材（２、３２、４２：下方部材）の開放端部（２Ａ、３２Ａ、４２Ａ：上部開口）に嵌合可能であり、第１の部材（１、３１、４１：上方部材）の閉鎖端部（１Ｂ、３１Ｂ、４１Ｂ：底部）には複数の貫通口（１Ｄ、３１Ｄ、４１Ｋ）が形成され、加温機器（３：例えば、小動物加温用のヒーター３Ａ、平板状のヒーター３Ｂ）が配置されている。また、水を動かすための機器（４）を配置するのが好ましい。【選択図】図６
2018023354.tif 000002
【特許請求の範囲】
【請求項１】
一端が開放し且つ他端が閉鎖した円筒形状の第１及び第２の部材を備え、第１の部材の閉鎖端部が第２の部材の開放端部に嵌合可能であり、
第１の部材の閉鎖端部には貫通部が形成され、
加温機器が配置されていることを特徴とする小動物飲用容器。
【請求項２】
水を動かすための機器を配置した請求項１の小動物飲用容器。
【請求項３】
加温機器及び水を動かすための機器を支持プレートに固定し、支持プレートを第２の部材に係止させた請求項２の小動物飲用容器。
【発明の詳細な説明】
【技術分野】
【０００１】
本発明は、例えば猫等の小動物が水その他の飲料を飲むのに用いられる小動物飲用容器に関する。
【背景技術】
【０００２】
近年、愛玩動物（小動物：いわゆる「ペット」）として各種小動物が多くの家庭で飼育されている。特に猫は愛玩動物として飼育される歴史が長く、現在でも多くの家庭で飼育されている。
近年、ペットの医療技術の進歩に伴い、猫が腎臓病を患う事例が多い。猫が腎臓病を患った場合には、出来る限り水を飲ませる必要がある。
しかし、特に冬場においては、猫は冷たい水を飲みたがらない性質があるため、腎臓病を患った猫に水を飲ませることが難しい場合が多い。そのため、猫の様な小動物に対して必要な給水を行うことが困難になってしまうという問題が存在する。
【０００３】
その他の従来技術として、ＰＥＴ樹脂製容器と組み合わせ可能なペット飲用容器が提案されている（特許文献１参照）。
しかし、係るペット飲用容器（特許文献１）は犬を散歩させる際に携行して、散歩の途中で犬に給水するための機器であり、上述した問題の解消を意図するのではない。
【先行技術文献】
【特許文献】
【０００４】
【特許文献１】特開２０１０−１６８０６０号公報
【発明の概要】
【発明が解決しようとする課題】
【０００５】
本発明は上述した従来技術の問題点に鑑みて提案されたものであり、冬場においても温かい水を供給することが出来る小動物飲用容器の提供を目的としている。
【課題を解決するための手段】
【０００６】
本発明の小動物飲用容器（１０、１１、２０、２１、２２、２３、２４、２５、２６、３０、３０−１、４０、４０−１）は、一端（上端）が開放し且つ他端（下端）が閉鎖した円筒形状の第１及び第２の部材（１、３１、４１）、（２、３２、４２）を備え、第１の部材（１、３１、４１：上方部材）の閉鎖端部（１Ｂ、３１Ｂ、４１Ｂ：底部）が第２の部材（２、３２、４２：下方部材）の開放端部（２Ａ、３２Ａ、４２Ａ：上部開口）に嵌合可能であり、
第１の部材（１、３１、４１：上方部材）の閉鎖端部（１Ｂ、３１Ｂ、４１Ｂ：底部）には貫通部（１Ｄ、３１Ｄ、４１Ｋ）が形成され、
（例えば第２の部材２、３２、４２の底部２Ｂ、３２Ｂ、４２Ｄに）加温機器（３：例えば、小動物加温用のヒーター３Ａ、平板状のヒーター３Ｂ）が配置されていることを特徴としている。
【０００７】
本発明において、（例えば第２の部材２に）水を動かすための機器（４）を配置するのが好ましい。
当該水を動かすための機器（４）としては、例えば、水中にエアを供給するエアポンプ（４Ａ）や、水を吐出して水流を形成する水中ポンプ（４Ｂ）等を用いることが出来る。
本発明において、加温機器（３）及び水を動かすための機器（４：例えば水中ポンプ）を支持プレート（９）に固定し、当該支持プレート（９）を第２の部材（３２）に係止させるのが好ましい。
また本発明において、支持プレート（９）に固定された水を動かすための機器（４：例えば水中ポンプ）を第１の部材（３１）に取り付けた吐水管（５Ｃ、５Ｄ）に接続するのが好ましい。ここで、前記水を動かすための機器（４：例えば水中ポンプ）は、前記加温機器（３：例えば、小動物加温用のヒーター３Ａ、平板状のヒーター３Ｂ）と別体であっても、一体に構成されていても良い。
さらに本発明において、第１の部材（３１、４１）の底部（３１Ｂ、４１Ｂ）にフィルター（３１Ｌ、４１Ｌ）を配置するのが好ましい。
【発明の効果】
【０００８】
上述の構成を具備する本発明によれば、第１の部材（１、３１、４１：上方部材）の閉鎖端部（１Ｂ、３１Ｂ、４１Ｂ：底部）には複数の貫通口（１Ｄ、３１Ｄ、４１Ｋ）が形成されているので、第２の部材（２、３２、４２）に水（Ｗ）を充填して第１の部材（１、３１、４１）に嵌合すれば、貫通口（１Ｄ、３１Ｄ、４１Ｋ）を介して第１の部材にも水が充填される。
そして、（例えば第２の部材２の底部２Ｂ、３２Ｂ、４２Ｂに）加温機器（３Ａ、３Ｂ）が配置されているので、当該加温機器（３Ａ、３Ｂ）により、充填された水（Ｗ）が温められる。
その結果、冷たい水が嫌いな猫（或いは爬虫類の様な変温動物）でも、本発明に係る飲用容器（１０、１１、２０、２１、２２、２３、２４、２５、２６、３０、３０−１、４０、４０−１）内の温められた水を飲むことが出来る。そして、例えば腎臓病を患った猫であっても、冬場においても温かい水を積極的に飲むことが期待出来るので、必要量の給水が可能になる。さらに、爬虫類を飲用容器（１０、１１、２０、２１、２２、２３、２４、２５、２６、３０、３０−１、４０、４０−１）内の温められた水に入浴させることで、脱皮を促すことが出来る。
【０００９】
ここで、猫は静止状態にある水よりも動いている水を好む性質があるため、飲用容器（いわゆる「水入れ」）に水を入れて（猫に）与えても、猫は飲用容器内の水を飲みたがらない場合がある。また近年の「ペットブーム」により爬虫類等を飼育する者も増加しているが、爬虫類等の中にも静止した水を認識せず、そのため静止した水を飲まない種類が多く存在する。
本発明において、（例えば第２の部材２の底部２Ｂ、３２Ｂ、４２Ｂに）水を動かすための機器（４：例えば、水中にエアを供給するエアポンプ４Ａや、水を吐出して水流を形成する水中ポンプ４Ｂ等）を配置すれば、当該機器（４）により例えば第２の部材（２、３２、４２：下方部材）内で水の動きが生じ、当該水の動きは、第１の部材（１、３１、４１：上方部材）の閉鎖端部（１Ｂ、３１Ｂ、４１Ｂ：底部）に形成された複数の貫通口（１Ｄ、３１Ｄ、４１Ｋ）を経由して第１の部材（１、３１、４１）中の水（Ｗ）にも伝播する。その結果、第１の部材（１、３１、４１）内の水（Ｗ）は静止することなく、動いた状態になるので、動いている状態の水を好む猫が積極的に水を飲むことが出来る。
また、本発明に係る飲用容器（２０、２１、２２、２３、２４、２５、２６、３０、３０−１、４０、４０−１）内の水が動くため、静止した水を認識せず、動いている水しか認識しない一部の爬虫類その他の各種小動物も、本発明に係る飲用容器（２０、２１、２２、２３、２４、２５、２６、３０、３０−１、４０、４０−１）内の水を認識して、水を飲むので、必要な給水を行うことが出来る。
【００１０】
本発明において、加温機器（３）及び水を動かすための機器（４：例えば水中ポンプ）を支持プレート（９）に固定し、支持プレート（９）を第２の部材（３２）に係止させれば、例えば水中ポンプ（４Ｂ）、ヒーター（３Ａ）を第２の部材（３２）の一定の位置へ正確かつ簡単に設置することが出来る。そして水中ポンプ（４Ｂ）、ヒーター（３Ａ）、支持プレート（９）をモジュール化することが出来る。それにより、汎用性が向上する。
さらに、支持プレート（９）に固定された水を動かすための機器（４：例えば水中ポンプ）を第１の部材（３１）に取り付けた吐水管（５Ｃ、５Ｄ）に接続すれば、猫等の水（Ｗ）の飲み口である上方部材（３１）に充填された水（Ｗ）を効果的に動かすことが出来る。
それに加えて、上方部材（３１、４１）の底部（３１Ｂ、４１Ｂ）にフィルター（３１Ｌ、４１Ｌ）を配置すれば、猫等の口から落ちた残渣（残った餌、いわゆる「食べかす」）等がフィルター（３１Ｌ、４１Ｌ）に捕捉され、水（Ｗ）に混合して容器（３０、３０−１、４０、４０−１）の中で拡散することがなく、水及び容器の清浄な状態を保つことが出来る。
【図面の簡単な説明】
【００１１】
【図１】本発明の実施形態で用いられる第１の部材の説明図である。
【図２】本発明の実施形態で用いられる第２の部材の説明図である。
【図３】本発明の第１実施形態において、第１の部材と第２の部材が嵌合する前の状態を示す説明図である。
【図４】第１実施形態において、第１の部材と第２の部材が嵌合した状態を示す説明図である。
【図５】第１実施形態の変形例で用いられる第１の部材と加温機器の説明断面図である。
【図６】本発明の第２実施形態において、第１の部材と第２の部材が嵌合した状態を示す説明図である。
【図７】第２実施形態の第１変形例で、第１の部材と第２の部材が嵌合した状態を示す説明図である。
【図８】第２実施形態の第２変形例で、第１の部材に吐出管を取り付けた状態を示す説明図である。
【図９】第２実施形態の第３変形例で、第１の部材に図８（第２変形例）とは別態様の吐出管を取り付けた状態を示す説明図である。
【図１０】第２実施形態の第４変形例で、第１の部材に傘状吐出管を取り付けた状態を示す説明図である。
【図１１】第４変形例における傘状吐出管の説明図である。
【図１２】第２実施形態の第５変形例で、第１の部材に逆傘状吐出管を取り付けた状態を示す説明図である。
【図１３】第５変形例における逆傘状吐出管の説明図である。
【図１４】第２実施形態の第６変形例で、第１の部材に球状吐出管を取り付けた状態を示す説明図である。
【図１５】本発明の第３実施形態において、加温機器と水を動かす機器を支持プレートに取り付けた状態を示す説明図である。
【図１６】第３実施形態で用いられる第２の部材の説明図である。
【図１７】第３実施形態において、支持プレートを第２の部材に係止させた状態を示す説明図である。
【図１８】第３実施形態で用いられる第１の部材の説明図である。
【図１９】図１８のＡＡ線端面を示す図である。
【図２０】第３実施形態に使用するフィルターの説明図である。
【図２１】第３実施形態において、第１の部材と第２の部材が嵌合させ、第１の部材に吐出管を取り付けた状態を示す説明図である。
【図２２】図２１の縦断面図である。
【図２３】第３実施形態の変形例であって、図２１、図２２とは異なる吐出管を取り付けた状態を示す説明図である。
【図２４】本発明の第４実施形態において、加温機器と水を動かす機器をホルダーにより第２の部材に取り付けた状態を示す説明図である。
【図２５】第４実施形態で用いられる第２の部材の説明図である。
【図２６】第４実施形態で用いられる第１の部材の説明図である。
【図２７】第４実施形態に使用するフィルターの説明図であり、（Ａ）は斜視図、（Ｂ）は（Ａ）のＢＢ断面図である。
【図２８】第４実施形態において、第１の部材と第２の部材が嵌合させた状態を示す説明図である。
【図２９】図２８の縦断面図であって、吐出管を取り付けた状態を示す説明図である。
【図３０】第４実施形態の変形例であって、第１の部材にドーム状の蓋を配置して、吐出管から水を流した状態を示す説明図である。
【発明を実施するための形態】
【００１２】
以下、添付図面を参照して、本発明の実施形態を説明する。
図１は、第１〜第２実施形態で用いられる第１の部材１（上方部材）を示している。図１において、円筒形状の上方部材１は、上方に開放する開放端部１Ａ、底部を構成する閉鎖端部１Ｂ（底部）を有している。
上方部材１の側面部１Ｃは、その外周径が下方部材２（図２）の側面部２Ｃの内周径より僅かに小さく設定され、上方部材１の上端にはフランジ部１Ｅが形成されている。フランジ部１Ｅは円周方向に延在しており、外周径が下方部材２の側面部２Ｃの外周径より僅かに大きく設定されている。そのため、上方部材１の底部１Ｂ（閉鎖端部）は下方部材２の開放端部２Ａ（上部開口）に嵌合可能であり、嵌合の際には下方部材１の側面部２Ｃの上端２Ｄが上方部材１のフランジ部１Ｅに当接して位置決めされる。
【００１３】
図１において、上方部材１には配線（配管）中継部１Ｆ（配線等中継部１Ｆ）が一体的に設けられており、配線等中継部１Ｆは側面部１Ｃの一部を上方から挟み込むような形状である。
配線等中継部１Ｆは中空のボックス状に形成され、当該中空部分には電気配線コード３ＡＡ（図３、図４、図６、図７）、４ＢＡ（図６、図７）の一部が収納され通過しており、電気配線コード３ＡＡ、４ＢＡは、下方部材２内に設置される加温機器３（図３、図４、図６、図７）、水中ポンプ４Ｂ（図６参照）と上方部材１及び下方部材２の外部の電源ＰＳ（図３）とを連結している。また配線等中継部１Ｆの中空部分には、下方部材２内に設置され先端にエア吐出口４ＡＢを有するエアチューブ４ＡＡ（図７）と外部に設置されるエアポンプ４Ａ（本体）を連結するエアチューブ４ＡＡの一部が収納され通過している。
明確には図示されていないが、下方部材２内部にヒーター３Ａ（加温機器）、水中ポンプの４Ｂ、エアチューブ４ＡＡのエア吐出口４ＡＢを設置する際に、電気配線コード３ＡＡ、４ＢＡ先端のプラグが配線等中継部１Ｆの中空部分を通過出来る様に、配線等中継部１Ｆが設けられる箇所において上方部材１の側面部１Ｃとの間隙及び下方部材２の側面部２Ｃの内側面との間隙を確保している。
【００１４】
上方部材１の配線等中継部１Ｆの下方には平板状の嵌合本体部１Ｇが一体的に形成され、嵌合本体部１Ｇの両側面には嵌合凸部１ＧＡ（図１では片側のみ図示）が形成されている。
嵌合本体部１Ｇの下端近傍には切り欠き部１ＧＢが形成され、電源側へ配策される電気配線コード３ＡＡ、４ＢＡ及び先端のプラグが通過する開口となっている。なお、切り欠き部１ＧＢは、配線等中継部１Ｆに収納されエアポンプ４Ａ（本体）側へ配策されるエアチューブ４ＡＡの通過する開口でもある。
【００１５】
上方部材１の底部１Ｂには複数の貫通口１Ｄが形成されており、貫通口１Ｄを介して上方部材１の内部と下方部材２の内部は連通される。
さらに上方部材１の底部１Ｂにおいて、配線等中継部１Ｆが設置されている近傍箇所には、残渣集積用凹部１Ｈが形成される。残渣集積用凹部１Ｈは、深さは例えば１０ｍｍ程度であり、上方部材１を清掃する際に（小動物飲用容器１０等を清掃する際に）、猫の口から落ちた餌の残渣（所謂「食べかす」）等を集め、当該残渣を処理し易くするために設けられている。
【００１６】
図示の実施形態において、上方部材１、下方部材２は樹脂性であり、温湯を収容可能な耐熱性を有している。ただし温湯が収容可能であり、所定の形状に加工できる材料であれば、その他の材質も適用可能である。また、上方部材１、上方部材２において、その一部（例えば底部）を陶器やステンレス等の錆を生じ難い材質で構成することも可能である。
また図示の実施形態では、フランジ部１Ｅ、配線等中継部１Ｆ、嵌合本体部１Ｇを上方部材１と一体的に形成したが、フランジ部１Ｅ、配線等中継部１Ｆ、嵌合本体部１Ｇの各々を上方部材１と別体に構成しても良い。
【００１７】
図２において、下方部材２は、上方に開放する開放端部２Ａ、底部を構成する閉鎖端部２Ｂ（底部）を有する円筒形状に形成されている。
上述した様に、下方部材２の側面部２Ｃの内周径は上方部材１（図１）の側面部１Ｃの外周径より僅かに大きく設定され、下方部材２の開放端部２Ａ（上部開口）は上方部材１の底部１Ｂ（閉鎖端部）に嵌合可能である。そして嵌合する際には、下方部材１の側面部２Ｃの上端２Ｄが上方部材１のフランジ部１Ｅ（図１）に当接して、位置決めされる。
【００１８】
図２において、下方部材２の側面部２Ｃには嵌合本体部２Ｇが設けられている。嵌合本体部２Ｇは、側面部２Ｃから半径方向外方に突出した１対の板状部材から構成され、当該一対の板状部材の半径方向最外側には、上下方向に亘って、相互に対向する位置に嵌合凹部２ＧＡが形成されている。
上方部材１と下方部材２を嵌合して小動物飲用容器１０を構成する際には（図４参照）、上方部材１を下方部材２の上方から嵌合して、上方部材１側の嵌合凸部１ＧＡと下方部材２側の嵌合凹部２ＧＡを嵌合させる。
上方部材１と下方部材２を嵌合させて小動物飲用容器１０を構成すると、上方部材１側の配線等中継部１Ｆ、嵌合本体部１Ｇ、下方部材２側の嵌合本体部２Ｇにより、加温機器３、水中ポンプの４Ｂ（図４参照）の電気配線コード３ＡＡ、４ＢＡの一部、或いは、エアポンプ４Ａ（本体）を連結するエアチューブ４ＡＡの一部が収納され通過する空間が構成される。
【００１９】
図２において、下方部材２の円周方向における嵌合本体部２Ｇを形成した位置には位置決め用のガイド部２Ｅが形成されており、ガイド部２Ｅは上方部材１と下方部材２を嵌合させる際の位置決め用ガイドとして機能する。下方部材２のガイド部２Ｅは、嵌合の際に上方部材１側の配線等中継部１Ｆの図示しない当該部位に嵌合する。
図示の実施形態では、嵌合本体部２、ガイド部２Ｅは下方部材２と一体的に形成されているが、嵌合本体部２、ガイド部２Ｅを下方部材２とは別体に構成することも出来る。
【００２０】
本発明の第１実施形態において、上方部材１と下方部材２が嵌合する前の状態（分解した状態）が、図３で示されている。図３では、相互の嵌合箇所（或いは位置決め箇所）を矢印付きの一点鎖線で表示している。
図１、図２を参照して上述した様に、上方部材１の底部１Ｂは下方部材２の開放端部２Ａに嵌合し（上方部材１の側面部１Ｃの外側面と、下方部材２の側面部２Ｃの内側面が嵌合し）、上方部材１側の嵌合凸部１ＧＡと下方部材２側の嵌合凹部２ＧＡが嵌合し、上方部材１のフランジ部１Ｅに下方部材１の側面部２Ｃの上端２Ｄが当接して位置決めされ、下方部材２のガイド部２Ｅが配線等中継部１Ｆの図示しない部位に嵌合して、位置決めされる。
【００２１】
図３に示す様に、第１実施形態では、下方部材２の底部２Ｂの内側（上側）表面に加温機器としてヒーター３Ａが配置されている。ヒーター３Ａは、市販されている浸漬して使用可能な小動物用の電気式小型水中ヒーターを適用することが出来る。ヒーター３Ａの底部には、下方部材２の底部２Ｂ表面に固定するための図示しない固定手段（例えば吸盤）が設けられている。ヒーター３Ａは、加温する熱量を調整可能に構成されていても良い。
下方部材２において、電気配線コード３ＡＡ（図３では太い点線で示す）は、ヒーター３Ａから下方部材２内で配策され、配線等中継部１Ｆが設けられた箇所で上方部材１の側面部１Ｃ（図１参照）を乗り越えて通過し、配線等中継部１Ｆの中空部分、嵌合本体部１Ｇ（上方部材１側）と嵌合本体部２Ｇ（下方部材２側）で構成される空間を通過して、嵌合本体部１Ｇの切り欠き部１ＧＢ（図１参照）を通って、外部電源ＰＳへ配策される。
なお、下方部材２の底部２Ｂの内側表面に加温機器であるヒーター３Ａとして、市販の熱帯魚ヒーター（図示しない）を使用しても良い。
【００２２】
図４は、第１実施形態で上方部材１と下方部材２が嵌合し、小動物引用容器１０が構成された状態を示している。
下方部材２に水Ｗを充填した後、下方部材２を上方部材１に嵌合すると、水Ｗは上方部材１の底部１Ｂに形成された複数の貫通口１Ｄを介して上方部材１にも流入し、上方部材１にも水が充填される。もちろん、上方部材１と下方部材２を嵌合した後に、上方部材１から水Ｗを供給しても、水Ｗは複数の貫通口１Ｄを介して下方部材２にも充填される。
図４において、水Ｗが充填された下方部材２の底部２Ｂ上に配置されたヒーター３Ａを作動させると、ヒーター３Ａにより充填された水Ｗが温められ、当該温められた水Ｗが対流し、貫通口１Ｄを介して上方部材１に流入するので、上方部材１内にも温められた水Ｗが充填される。なお、図４における下方部材２の底部２Ｂ上のヒーター３Ａの位置は、ヒーター３Ａを明示するため、図３で示す位置とは異なっている。
【００２３】
第１実施形態によれば、小動物飲用容器１０の上方部材１がヒーター３Ａにより温められた水Ｗで充填されるので、冷たい水が嫌いな猫（或いは爬虫類）が温められた水Ｗを飲むことが出来る。また、ヒーター３Ａの加温する程度が調整可能であれば、室温等の周辺環境に応じて水Ｗの温度を調整して、猫その他の小動物が飲み易い水温の水Ｗを供給することが出来る。その結果、例えば腎臓病を患った猫であって、冬場において温かい水Ｗを飲むことが出来るので、必要量の給水が可能になる。
また、爬虫類であれば、飲用容器１０内の温められた水に入浴させることにより、脱皮を促すことが出来る。
また、ヒーター３Ａは下方部材２内に配置されるので、猫等が上方部材１に充填された温められた水Ｗを飲む際に、ヒーター３Ａに触れてしまうことが無いので火傷等の心配がなく安全であり、ヒーター３Ａが猫等により破損されることも防止される。
【００２４】
さらに、ヒーター３Ａと外部の電源ＰＳを連結する電気配線コード３ＡＡの中継部分が、上方部材１側の配線等中継部１Ｆ、嵌合本体部１Ｇ、下方部材２側の嵌合本体部２Ｇにより構成される空間に収納されるので、猫等がコード３ＡＡと接触することにより、当該コード、容器、機器が破損され、或いは誤作動することも防止される。
それに加えて、上方部材１において、配線等中継部１Ｆの近傍の底部１Ｂの内側表面には残渣集積用凹部１Ｈが形成されているので、上方部材１を清掃する際に（小動物飲用容器１０を清掃する際に）、猫等の口から落ちた残渣（残った餌、いわゆる「食べかす」）等を残渣集積用凹部１Ｈに集めて処理することが出来る。
【００２５】
図５を参照して、第１実施形態の変形例について説明する。
図５において、加温機器としてヒーター３Ａを下方部材２に配置するのではなく、加温機器として平板状のヒーター３Ｂ（例えば、水中使用可能な平板状ヒーター）を、上方部材１の底部１Ｂの背面（下側：外側）に配置している。
図５において、上方部材１の底部１Ｂの背面側には断面が概略コの字状の一対のヒーター取付部１Ｉが設けられ、一対のヒーター取付部１Ｉの下側に平板状ヒーター３Ｂを位置させて、ボルト（図５では一点鎖線３ＢＴで示す）により固定している。明確には図示されていないが、平板状ヒーター３Ｂと外部の電源を連結する電気配線コードは、図３で示すのと同様に、配線等中継部１Ｆの中空部分、上方部材１側の嵌合本体部１Ｇ、下方部材２側の嵌合本体部２Ｇで構成される空間を通過し、嵌合本体部１Ｇの切り欠き部１ＧＢから外部電源へ向かって配策される。
なお、取付部１Ｉは、図５の紙面に垂直方向で複数分割して（例えば２分割して）設けることも可能である。
【００２６】
平板状ヒーター３Ｂは概略正方形状であり、当該正方形形状の一辺の長さは上方部材１の底部１Ｂの直径よりも小さく設定される。そして複数の貫通口１Ｄは、例えば、上方部材１の底部１Ｂにおいて、平板状ヒーター３Ｂと重ならない位置に形成される。
嵌合した下方部材２、上方部材１に水Ｗを充填して、平板状ヒーター３Ｂを作動させると、平板状ヒーター３Ｂにより上方部材１に充填された水Ｗが温められ、当該温められた水Ｗは貫通口１Ｄを介して下方部材２にも流入し、上方部材１、下方部材２の両方が温められた水Ｗで充填される。
図示はしないが、図５の変形例において、加温機器として平板状ヒーター３Ｂを上方部材１の底部１Ｂの背面に設けることに代えて、下方部材２の底部２Ｂの背面（下側）に敷設することも可能である。
図５で示す変形例におけるその他の構成、作用効果は、図１〜図４の第１実施形態と同様である。
【００２７】
図６は本発明の第２実施形態を示している。図６で示す第２実施形態では、小動物飲用容器２０は、第１実施形態における加温機器３に加えて、充填された水Ｗを動かすための機器４を設けている。
図６において、下方部材２の底部２Ｂの内側（上側）表面には加温機器としてのヒーター３Ａ（第１実施形態のヒーター３Ａと同様）に加えて、水Ｗを動かすための機器として水中ポンプ４Ｂが配置されている。
水中ポンプ４Ｂは、水Ｗを吸引してヘッドを付加して吐出し、下方部材２内に水流を形成する機能を有しており、例えば市販の観賞魚用の水中ポンプを適用することが出来る。水中ポンプ４Ｂの底部には、下方部材２の底部内側表面に固定する固定手段（例えば吸盤：図示せず）を備えている。また水中ポンプ４Ｂは、水Ｗの吐出量（吐出圧力）を調節可能に構成されていても良い。
【００２８】
図６において、電気配線コード４ＢＡ（太い点線で示す）は、図３で説明したヒーター３Ａの電気配線コード３ＡＡと同様に配策される。すなわち電気配線コード４ＢＡは、水中ポンプ４Ｂから下方部材２中を配策され、配線等中継部１Ｆが設けられる箇所において上方部材１の側面部１Ｃ（図６には図示せず）の上縁を乗り越え、さらに配線等中継部１Ｆの中空部分、上方部材１側の嵌合本体部１Ｇ、下方部材２側の嵌合本体部２Ｇによって構成される空間を通過し、嵌合本体部１Ｇの切り欠き部１ＧＢから外部電源ＰＳへ配策される。
【００２９】
図６において、下方部材２に水Ｗを充填した後、下方部材２を上方部材１に嵌合すると、水Ｗは上方部材１の底部１Ｂに形成された複数の貫通口１Ｄを介して上方部材１にも流入し、上方部材１も充填される。その状態で水中ポンプ４Ｂを作動させると、水中ポンプ４Ｂから吐出される水により水流（水Ｗの動き）が生じ、当該水Ｗの動きは、上方部材１の底部１Ｂに形成された貫通口１Ｄを介して上方部材１に充填された水Ｗにも伝播する。
それと共に第１実施形態と同様に、下方部材２に配置されたヒーター３Ａを作動させると、ヒーター３Ａにより充填された水Ｗが温められ、温められた水Ｗは貫通口１Ｄを介して上方部材１にも流入し、上方部材１も温められた水Ｗで充填される。
【００３０】
第２実施形態によれば、小動物引用容器２０の上方部材１がヒーター３Ａにより温められた水Ｗで充填され、且つ、当該温められた水Ｗが水中ポンプ４Ｂにより動くので、静止状態にある水よりも動いている水を好む猫（或いは爬虫類の様な変温動物）でも、動いている水Ｗにより水を飲用する欲求が駆り立てられ、且つ、温かい水Ｗを飲むことが出来る。そのため、例えば腎臓病を患った猫であっても、冬場においても、水Ｗを飲もうとする欲求を生じ、且つ、温かい水Ｗを飲むことが出来るので、必要量の給水が可能になる。
また、水中ポンプ４Ｂの吐出量（吐出強さ）が調整可能であれば、猫（或いは爬虫類の様な変温動物）の個性や状況に応じて水Ｗの動き量（強さ）が調整出来る。
第２実施形態におけるその他の構成、作用効果は、図１〜図５の第１実施形態と同様である。
【００３１】
図７は、第２実施形態の第１変形例を示す。図７において、充填された水Ｗを動かすための機器４として、水中ポンプではなくエアポンプ４Ａが配置されている。
エアポンプ４Ａは、その本体が小動物引用容器２０の外部に設置され、エアポンプ本体４Ａから配策されたエアチューブ４ＡＡ（図７では仮想二重点線で示す）を下方部材２に充填された水Ｗ中に配置し、エアポンプ本体４Ａから供給されたエアをエアチューブ４ＡＡのエア吐出口４ＡＢから充填された水Ｗ中に吐出して、水を動かしている。エアポンプ４Ａとしては、市販の観賞魚用エアポンプが適用出来る。
下方部材２に配置したエアチューブ４ＡＡは、ヒーター３Ａの電気配線コード３ＡＡと同様に、下方部材２の中に配策され、（明確には図示されないが）配線等中継部１Ｆが設けられる箇所において上方部材１の側面部１Ｃの外側を通過し、さらに配線等中継部１Ｆの中空部分、上方部材１側の嵌合本体部１Ｇと下方部材２側の嵌合本体部２Ｇで構成される空間を通過し、嵌合本体部１Ｇの切り欠き部１ＧＢから外部のエアポンプ本体４Ａに接続される。
【００３２】
図７において、水Ｗが充填された下方部材２にエアチューブ４ＡＡを配置し、外部に設置されたエアポンプ本体４Ａを作動させると、エアポンプ本体４Ａから供給されたエアがエアチューブ４ＡＡのエア吐出口４ＡＢから充填されたＷ水中に吐出され、下方部材２に充填された水Ｗに動き（水流）が形成される。当該水Ｗの動きは、上方部材１の底部１Ｂに形成された貫通口１Ｄを介して上方部材１に充填された水Ｗにも伝播する。
同時に、下方部材２に配置されたヒーター３Ａを作動させると、ヒーター３Ａにより充填された水Ｗが温められ、当該温められた水Ｗは貫通口１Ｄを介して上方部材１にも流入し、上方部材１も温められた水Ｗで充填される。
【００３３】
図７で示す第１変形例の小動物飲用容器２１によれば、下方部材２に充填された水Ｗを動かす機器としてエアポンプ４Ａを使用するが、下方部材２中にはエアポンプのエアチューブ４ＡＡのみ配置し、エアポンプ本体４Ａは外部に設置しているので、下方部材２にはエアチューブ４ＡＡとヒーター３Ａを配置すれば良く、機器配置（レイアウト）が行い易い。
図７の第１変形例におけるその他の構成、作用効果は、図６の第２実施形態と同様である。
【００３４】
次に図８を参照して、第２実施形態の第２変形例を説明する。図８において、充填された水Ｗを動かすためにエアポンプ４Ａを使用すると共に、下方部材２に配置されたエアチューブ４ＡＡのエア吐出口４ＡＢを上方部材１に取り付けられた吐出管５Ａに接続している。
側面形状が逆Ｊ字状の吐出管５Ａは、上方部材１の底部１Ｂに形成された螺子が切られた貫通口１Ｊに取り付けられ、吐出管５Ａの取付側端部５ＡＢにエアチューブ４ＡＡのエア吐出口４ＡＢが接続される。
そして、吐出管５Ａの吐水口５ＡＡは上方部材１内において、下方に（充填された水Ｗに）向けられている。
【００３５】
図８において、水Ｗが充填された下方部材２に配置したエアチューブ４ＡＡのエア吐出口４ＡＢを吐出管５Ａに接続し、外部に設置されたエアポンプ本体４Ａ（図示しない）を作動させると、エアポンプ本体４Ａから供給されたエアは、エアチューブ４ＡＡのエア吐出口４ＡＢから吐出管５Ａを経由して、吐出管５Ａ内に吐出される。
この時エアは、下方部材２側に充填された水Ｗを連行し、当該連行された水Ｗも吐出管５Ａの吐水口５ＡＡから、上方部材１内であって下方の水Ｗに向けられて吐水される（矢印Ａ）。矢印Ａで示す水が上方部材１に充填された水Ｗに落下することにより、上方部材１に充填された水Ｗが動かされる。
なお、吐出管５Ａの吐水口５ＡＡを上方部材１に充填された水Ｗの上方でなく、上方部材１に充填された水Ｗ中に配置しても、水Ｗを動かすことが出来る。
【００３６】
図８には示されていないが、ヒーター３Ａ（図４、図６、図７を参照）が配置されており、ヒーター３Ａにより充填された水Ｗが温められ、当該温められた水Ｗは貫通口１Ｄを介して上方部材１にも流入し、上方部材１も温められた水Ｗで充填される。
第２実施形態の第２変形例の小動物飲用容器２２によれば、エアポンプ本体４Ａから供給されたエアが吐出管５Ａに水を連行することにより、吐出管５Ａから矢印Ａで示す様に水が吐出され、猫等の水Ｗの飲み口である上方部材１の水Ｗを直接動かすことが出来る。
図８の第２変形例におけるその他の構成、作用効果は、図７の第１変形例と同様である。
【００３７】
図９を参照して、第２実施形態の第３変形例を説明する。当該第３変形例は第２変形例に対して、エアポンプ４Ａのエアチューブ４ＡＡを接続する吐出管の構成が異なっている。
図９において、吐出管５Ｂは、第２変形例の吐出管５Ａ同様、上方部材１の底部１Ｂに形成された螺子が切られた貫通口１Ｊに取り付けられ、吐出管５Ｂの取付側端部５ＢＢにエアチューブ４ＡＡのエア吐出口４ＡＢが接続される。そして吐出管５Ｂは、側面形状が逆Ｌ字状であり、その吐水口５ＢＡは上方部材１内に充填された水Ｗ中で水平方向に向けられている。
【００３８】
図９において、水Ｗが充填された下方部材２に配置したエアチューブ４ＡＡのエア吐出口４ＡＢを吐出管５Ｂに接続し、外部に設置されたエアポンプ本体４Ａ（図示しない）を作動させると、エアポンプ本体４Ａから供給されたエアは吐出管５Ｂ内に流れる。その際に、当該エアは、下方部材２側に充填された水Ｗを連行し、当該連行された水Ｗも吐出管５Ｂの吐水口５ＢＡから、上方部材１内に充填された水Ｗ中に水平方向に向けて吐出される（矢印Ｂ）。その結果、上方部材１に充填された水Ｗは、吐出管５Ｂの吐水口５ＢＡから吐出されたエアや水により動かされる。
図９では示されていないが、ヒーター３Ａ（図４、図６、図７を参照）が配置されており、ヒーター３Ａにより充填された水Ｗが温められ、当該温められた水Ｗは貫通口１Ｄを介して上方部材１にも流入し、上方部材１も温められた水Ｗで充填される。
【００３９】
図９の第３変形例の小動物飲用容器２３によれば、エアポンプ本体４Ａから供給されたエアは吐出管５Ｂ内に流入し、吐水口５ＢＡから上方部材１内に充填された水Ｗ中に水平方向に向けられて吐出されると共に、下方部材２側の水Ｗも連行して矢印Ｂで示す様に吐出する。そのため、上方部材１の水Ｗを直接動かすことが出来る。
当該第３変形例におけるその他の構成、作用効果は、図７の第２実施形態の第１変形例、図８の同第２変形例と同様である。
【００４０】
次に、図１０、図１１を参照して、第２実施形態の第４変形例を説明する。
図１０において、充填された水Ｗを動かすためにエアポンプ４Ａが設けられており、下方部材２内を延在しているエアチューブ４ＡＡのエア吐出口４ＡＢは、上方部材１に取り付けられた傘状吐出管６に接続している。
傘状吐出管６は例えば合成樹脂製であり、図１１で示す様に、中空管状の本体部６Ａ、傘状の案内部６Ｂを備えている。中空管状の本体部６Ａ下端にはエア導入口６ＡＡが構成されており、図１１の上下方向で中間の領域にはエア吐出口６ＡＢが形成され、エア吐出口６ＡＢは例えば円周方向に２カ所に形成されている。エアチューブ４ＡＡを介してエア導入口６ＡＡに供給されたエアは本体部６Ａの中空部分を通過し、エア吐出口６ＡＢから本体部６Ａの外に吐出される構造となっている。
【００４１】
傘状吐出管６の本体部６Ａは、上方部材１の底部１Ｂに形成された貫通口１Ｊに取り付けられている（例えば螺合されている）。なお、符号６ＡＣは取付用の支持プレートである。
傘状の案内部６Ｂは、その上側表面も内面部６ＢＡも図１０、図１１の上方側に膨らんだ形状をしており、中心（本体部６Ａの中心軸）から半径方向外方に行くに連れて滑らかに下降している。
図示はされていないが、傘状吐出管６は例えば合成樹脂製であり、本体部６Ａと案内部６Ｂとは一体構造であるが、両者を別体で構成することも出来る。
【００４２】
図１０において、水Ｗが充填された下方部材２に配置したエアチューブ４ＡＡのエア吐出口４ＡＢを傘状吐出管６（のエア導入口６ＡＡ）に接続し、外部に設置されたエアポンプ本体４Ａ（図示しない）を作動させると、エアポンプ本体４Ａから供給されたエアは、エアチューブ４ＡＡのエア吐出口４ＡＢから、エア導入口６ＡＡを介して傘状吐出管６内に導入される。
傘状吐出管６内に導入されたエアは、中空管構造の本体部６Ａを通過して、エア吐出口６ＡＢから上方部材１内の水Ｗ中に吐出される。エア吐出口６ＡＢから吐出されたエアは水Ｗ中で気泡Ｇとなり上昇し（矢印Ａで示す）、案内部６Ｂの内面部６ＢＡの下に滞留して次第に大きな気泡Ｇとなる。内面部６ＢＡの下に滞留している気泡Ｇが飽和すると、気泡Ｇ（大きな気泡）は内面部６ＢＡから上昇する。その様な気泡Ｇの動きにより、上方部材１に充填された水Ｗが動く。
【００４３】
傘状吐出管６のエア導入口６ＡＡにエアが導入される際に、当該エアにより水Ｗを連行することも出来る。その場合、エアチューブ４ＡＡのエア吐出口４ＡＢはエア導入口６ＡＡに比較して径寸法が小さく、エア吐出口４ＡＢから供給されたエアは、水を連行してエア導入口６ＡＡから吐出管６内を流れる。当該連行された水Ｗも、本体部６Ａのエア吐出口６ＡＢから水Ｗ中に吐出され、上記気泡Ｇの動きに加えて、吐出された水Ｗによっても上方部材１に充填された水Ｗが動く。
【００４４】
図１０には示されていないが、ヒーター３Ａ（図４、図６、図７を参照）を配置して、ヒーター３Ａにより充填された水Ｗを温め、温められた水Ｗは貫通口１Ｄ（例えば図１参照）を介して上方部材１に流入し、以て上方部材１内の水Ｗを温めることが出来る。
図１０、図１１の第２実施形態の第４変形例におけるその他の構成、作用効果は、図７の第２実施形態の第１変形例と同様である。
【００４５】
図１２、図１３に示す第２実施形態の第５変形例は、図１０、図１１の第４変形例に対して、エアポンプ４Ａのエアチューブ４ＡＡを接続する吐出管の構成が異なっている。
図１２、図１３において、逆傘状吐出管７は、中空管状の本体部７Ａと、逆傘状の案内部７Ｂを備え、本体部７Ａ下端にはエア導入口７ＡＡが設けられ、図１２、図１３の上下方向で中間領域にはエア吐出口７ＡＢ（図示の例では円周方向に２箇所）が形成されている。
【００４６】
逆傘状吐出管７の本体部７Ａは、上方部材１の底部１Ｂに形成された貫通口１Ｊに取り付けられ（例えば螺合され）、本体部７Ａの下端のエア導入口７ＡＡにエアチューブ４ＡＡのエア吐出口４ＡＢが接続される。なお、符号７ＡＣは取付用の支持プレートである。逆傘状の案内部７Ｂの外面部７ＢＡと内面部は、中心（本体部７Ａの中心軸）から半径方向外方ほど滑らかに上昇している。
逆傘状吐出管７は、例えば合成樹脂性であり、本体部７Ａと案内部７Ｂとは一体構造であるが、両者を別体で構成することも出来る。
【００４７】
図１２において、エア導入口７ＡＡから供給されたエアが本体部７Ａの中空部を通過し、エア吐出口７ＡＢから吐出されると水Ｗ中で気泡Ｇとなり、気泡Ｇはそのまま逆傘状の案内部７Ｂの外面部７ＢＡに沿って上昇した後、放散する。図１２においても、気泡Ｇの動きを矢印Ａで示している。そして矢印Ａで示す気泡Ｇの動作により、上方部材１に充填された水Ｗが動かされる。
【００４８】
ここで、逆傘状吐出管６にエアが導入される際に、当該エアが水Ｗを連行する様に構成することも可能である。エア導入口７ＡＡに比較してエアチューブ４ＡＡのエア吐出口４ＡＢの径寸法が小さければ、エアを供給する際に水Ｗが連行され、エア吐出口７ＡＢから水Ｗ中に吐出される。気泡Ｇの動作に加えて、エア吐出口７ＡＢから水Ｗが吐出することによっても、上方部材１に充填された水Ｗが動かされる。
図１２には示されていないが、ヒーター３Ａ（図４、図６、図７を参照）が配置されており、ヒーター３Ａにより充填された水Ｗが温められ、当該温められた水Ｗは貫通口１Ｄ（例えば図１参照）を介して上方部材１にも流入し、上方部材１内の水Ｗを温めることが出来る。
第２実施形態の第５変形例におけるその他の構成、作用効果は、図７の第２実施形態の第１変形例と同様である。
【００４９】
次に、第２実施形態の第６変形例について、図１４を参照して説明する。図１４の第６変形例では、エアチューブ４ＡＡは球状吐出管８に接続する。
図１４において、球状吐出管８は例えば連泡構造の材料で製造されており、図１４における下端部近傍に取付部８Ａとエア導入口８Ｂを有している。
【００５０】
球状状吐出管８の取付部８Ａは上方部材１の底部１Ｂに形成された貫通口１Ｊに取り付けられ（例えば螺合され）、エア導入口８Ｂはエアチューブ４ＡＡのエア吐出口４ＡＢが接続される。なお、符号８Ｃは取付用の支持プレートである。
エア導入口８Ｂから導入されたエアは球状吐出管８の外表面から、微小な気泡Ｇとなって上方部材１の水Ｗ中に吐出される。それにより、上方部材１の水Ｗが動く。
【００５１】
図１４には示されていないが、ヒーター３Ａ（図４、図６、図７を参照）が配置されており、ヒーター３Ａにより充填された水Ｗが温められ、当該温められた水Ｗは貫通口１Ｄ（例えば図１参照）を介して上方部材１にも流入し、上方部材１内の水Ｗも温めることが出来る。
図１４の第６変形例におけるその他の構成、作用効果は、図７の第２実施形態の第１変形例と同様である。
【００５２】
次に、図１５〜図２２を参照して、本発明の第３実施形態を説明する。
第３実施形態に係る小動物飲用容器３０では、加温機器であるヒーター３Ａと、水Ｗを動かす機器である水中ポンプ４Ｂを、支持プレート９に取り付けて、支持プレート９を下方部材３２（第２の部材）に係止している。
ここで、第３実施形態の上方部材３１、下方部材３２は、第１、第２実施形態の上方部材１、下方部材２と比較して、配線中継部、嵌合本体部、貫通口が異なっている。
【００５３】
図１５において、支持プレート９は、水平部９Ａ、水平部９Ａの長手方向の一方の端部から上方（図１５で）に立ち上がる立ち上がり部９Ｂ、立ち上がり部９Ｂの上端から外側に折り返される折り返し部９Ｃを有しており、水平部９Ａにはヒーター３Ａ、水中ポンプ４Ｂが図示しない固定手段により固定される。
ヒーター３Ａからは電気配線コード３ＡＡが支持プレート９（水平部９Ａ、立ち上がり部９Ｂ、折り返し部９Ｃ）に沿って配策されており、水中ポンプ４Ｂからは電気配線コード４ＢＡが支持プレート９（水平部９Ａ、立ち上がり部９Ｂ、折り返し部９Ｃ）に沿って配策されている。
電気配線コード３ＡＡ、４ＢＡは、支持プレート９の折り返し部９Ｃを通過した後、外部の電源ＰＳ（図１７、図２１）に接続される。また、電気配線コード３ＡＡ、４ＢＡは、折り返し部９Ｃの上端に形成されたガイド溝９Ｄにより案内され、さらに折り返し部９Ｃの留め具９Ｅ（図１７）により束ねられて、係止される。
【００５４】
図１６において、下方部材３２は第１、第２実施形態における下方部材２と同様に、温水を収容可能な程度の耐熱性を有する樹脂製であり、上方の開放端部３２Ａと、底部を構成する閉鎖端部３２Ｂ（底部）を備える円筒形状に形成されている。
下方部材３２の側面部３２Ｃの内周径は上方部材３１（図１８）の側面部３１Ｃの外周径より僅かに大きく設定され、開放端部３２Ａ（上部開口）は上方部材３１の底部３１Ｂ（閉鎖端部）を嵌合可能である。
【００５５】
下方部材３２の側面部３２Ｃには嵌合本体部３２Ｇが一体的に設けられている。
図１６において、側面部３２Ｃに設けられた嵌合本体部３２Ｇは、側面部３２Ｃに沿って概略垂直に立ち上がる様に構成され、嵌合本体部３２Ｇの外側面には上下方向に亘って２本の嵌合凸部３２ＧＡが形成される。なお、２本の嵌合凸部３２ＧＡの横方向の間隔Ｌは、当該間隔内を電気配線コード３ＡＡ、４ＢＡが配策可能となる様な寸法に設定されている。
嵌合本体部３２Ｇは、上端側が側面部３２Ｃの上端より上方まで延設され、上方延設部３２ＧＢは、下方部材３２と上方部材３１を嵌合させる際の位置決め用ガイドとして機能すると共に、支持プレート９を下方部材３１に係止する際の下方部材側の係止部として機能する。
なお、嵌合本体部３２Ｇは、下方部材３２と別体に構成することも可能である。
【００５６】
図１７において、ヒーター３Ａ、水中ポンプ４Ｂを固定した支持プレート９は、立ち上がり部９Ｂと折り返し部９Ｃにより、下方部材３２の嵌合本体部３２Ｇの上方延設部３２ＧＢ（図１６）を挟み込む態様で、下方部材３２に係止されている。ここで、支持プレート９の水平方向長さは、下方部材３２の内側寸法より僅かに小さく設定されているので、支持プレート９が下方部材３２に係止された状態では、水平方向（支持プレート９の長手方向と垂直な方向）に動くこと（所謂「がたつく」状態）が防止される。
図１７で示す様に支持プレート９を下方部材３２に組み付けることにより、支持プレート９に固定されたヒーター３Ａ及び水中ポンプ４Ｂは、下方部材３２の底部３２Ｂに支持される。そしてヒーター３Ａ、水中ポンプ４Ｂの電気配線コード３ＡＡ、４ＢＡは、支持プレート９の水平部９Ａ、立ち上がり部９Ｂ、ガイド溝９Ｄ、折り返し部９Ｃに沿って、下方部材３２の外方の電源ＰＳまで配策される。
電気配線コード３ＡＡ、４ＢＡは、２本の嵌合凸部３２ＧＡの間の領域を延在しており、留め具９Ｅにより束ねて係止される。
【００５７】
図１８において、上方部材３１は温水を収容可能な程度の耐熱性を有する樹脂製であり、上方の開放端部３１Ａと、底部である閉鎖端部３１Ｂ（底部）を備える円筒形状に形成されている。
上方部材３１の側面部３１Ｃは、外周径が下方部材３２（図１６）の側面部３２Ｃの内周径より僅かに小さく設定され、上方部材３１の上端にはフランジ部３１Ｅが形成されている。フランジ部３１Ｅは円周方向に延在しており、外周径が下方部材３２の側面部３２Ｃの外周径より僅かに大きく設定されている。
上方部材３１の底部３１Ｂ（閉鎖端部）と下方部材３２の開放端部３２Ａ（上部開口）が嵌合する際には、上述の通り、下方部材３１の側面部３２Ｃの上端３２Ｄが上方部材３１のフランジ部３１Ｅに当接して、位置決めされる。
【００５８】
上方部材３１の側面部３１Ｃにおいて一体的に設けられている嵌合本体部３１Ｇは、側面部３１Ｃの一部を上方から挟み込むような形状であり、嵌合本体部３１Ｇの上方部分３１ＧＢは中空形状となっており、上方部分３１ＧＢの下方には、側面部３１Ｃに沿う様に、連続して下方部分３１ＧＣが延在している。
上方部材３１が下方部材３２に嵌合する際、中空の上方部分３１ＧＢには、支持プレート９の立ち上がり部９Ｂ、折り返し部９Ｃ、及び立ち上がり部９Ｂ、折り返し部９Ｃに沿って配策される電気配線コード３ＡＡ、４ＢＡが収納される。
明確には図示されていないが、嵌合本体部３１Ｇと、上方部材３１の側面部３１Ｃ及び下方部材３２の側面部３２Ｃの内側面との間に間隙が形成され、当該間隙に支持プレート９の立ち上がり部９Ｂ、電気配線コード３ＡＡ、４ＢＡが配置される。
【００５９】
嵌合本体部３１Ｇ（上方部分３１ＧＢ及び下方部分３１ＧＣ）の外側部の半径方向内側には、上下方向に延在する２本の嵌合凹部３１ＧＡ（図１８では破線で表示）が形成されている。上方部材３１と下方部材３２が嵌合する際は、２本の嵌合凹部３１ＧＡには、下方部材３２側の嵌合凸部３２ＧＡ（図１６）が嵌合する。
嵌合本体部３１Ｇの下方部分３１ＧＣの下端近傍には切り欠き部３１ＧＤが形成され、外部電源側へ配策される電気配線コード３ＡＡ、４ＢＡ及び先端のプラグが通過する開口を構成している。これにより、嵌合本体部３１Ｇに電気配線コード３ＡＡ、４ＢＡが収容される。
なお、嵌合本体部３１Ｇは、上方部材３１と別体に構成することも可能である。
【００６０】
図１８において、上方部材３１の底部３１Ｂにおける周縁近傍には複数のフィルター収容凹部３１Ｋが形成され、フィルター収容凹部３１Ｋにはフィルター３１Ｌ（図２０参照）が収容される。明確には図示されないが、フィルター収容凹部３１Ｋは、上方部材３１の底部３１Ｂにおける嵌合本体部３１Ｇの取り付け位置の近傍の位置と、その直径方向反対側の位置の２カ所に形成される。
図１８において、フィルター収容凹部３１Ｋは概略扇形状に形成され、深さは例えば１０ｍｍ程度である。図１９で示す様に、フィルター収容凹部３１Ｋの周縁部には、全周に亘ってフィルター係止溝３１ＫＡが形成され、フィルター３１Ｌを収容する際に、フィルター３１Ｌの外端部がフィルター係止溝３１ＫＡに嵌合して、以てフィルター３１Ｌの脱落を防止している。
【００６１】
図１８、図１９において、フィルター収容凹部３１Ｋの底部３１ＫＢ（図１９）には、それぞれ２個の貫通口３１Ｄと取付用貫通口３１ＤＡ（図１８、図１９では中央の貫通口）が形成されており、貫通口３１ＤＡは雌ネジとして形成されている。２個の貫通口３１Ｄを介して上方部材３１と下方部材３２は連通され、取付用貫通口３１ＤＡには図２１、図２２で後述する吐出管が取り付けられる。
なお、取付用貫通口３１ＤＡは１箇所形成されている。
【００６２】
図２０において、フィルター３１Ｌは、フィルター収容凹部３１Ｋと相補形状の概略扇形状に形成され、厚さは例えば１０ｍｍ程度である。フィルター３１Ｌは、猫等の口から落ちた残渣（残った餌、いわゆる「食べかす」）等を捕捉して、当該残渣が水Ｗに混合して容器３０の中で拡散しない様にする機能を有しており、以て、水及び容器を清浄な状態に維持している。
フィルター３１Ｌの材質としては、公知の濾過材を使用することが出来る。
また、フィルター３１Ｌにおけるフィルター収容凹部３１Ｋに形成された貫通口３１Ｄ、取付用貫通口３１ＤＡに対応する位置には貫通口３１ＬＤ、３１ＬＤＡが形成されており、貫通口３１ＬＤ、３１ＬＤＡは貫通口３１Ｄ、取付用貫通口３１ＤＡと概略同径に設定されている。
【００６３】
図２１において、上方部材３１が下方部材３２に嵌合し、小動物飲用容器３０を構成している。図２１の状態では、下方部材３２の嵌合本体部３２Ｇ（図１６）は上方部材３１の嵌合本体部３１Ｇに覆われている。
上述した様に、下方部材３２に取り付けられた支持プレート９にはヒーター３Ａ、水中ポンプ４Ｂが固定されている（図１５、図１７）。ただし図２１の状態では、支持プレート９、ヒーター３Ａ、水中ポンプ４Ｂは、上方部材３１に覆われているため表示されておらず、電気配線コード３ＡＡ、４ＢＡのみ表示されている。
なお、支持プレート９、ヒーター３Ａ、水中ポンプ４Ｂは、上方部材３１と下方部材３２が嵌合した状態を示す図２２、図２３で表示されている。
【００６４】
図２１において、上方部材３１のフィルター収納凹部３１Ｋにはフィルター３１Ｌが嵌合しており、フィルター収納凹部３１Ｋの取付用貫通口３１ＤＡ（図１８、図１９）には吐出管５Ｃが取り付けられている。吐出管５Ｃの基本構造、機能は、図８に示す第２実施形態の第２変形例の吐出管５Ａと同様である。
図面の煩雑を避けるため、図２１では、吐出管５Ｃを上方部材３１における嵌合本体部３１Ｇから離れた反対側の取付用貫通口３１ＤＡに取り付けているが、吐出管５Ｃを嵌合本体部３１Ｇ側の取付用貫通口に取り付けることも可能である。
下方部材３２に水Ｗを充填した後、下方部材３２を上方部材３１に嵌合すると、水Ｗは貫通口３１Ｄ（図１８〜図２１）を介して上方部材３１に流入し、上方部材３１にも水が充填される。もちろん、上方部材３１と下方部材３２を嵌合した後に、上方部材３１から水Ｗを供給しても、水Ｗは複数の貫通口３１Ｄを介して下方部材３２にも充填される。
【００６５】
上方部材３１と下方部材３２を嵌合し、上方部材３１に吐出管５Ｃを取り付けて小動物飲用容器３０を構成した状態が図２２で示されている。図２２において、支持プレート９に固定された水中ポンプ４Ｂの吐出口４ＢＢを、連通管４Ｃを介して、上方部材３１に取り付けられた吐出管５Ｃに接続している。
側面形状が逆Ｊ字状の吐出管５Ｃは、フィルター収容凹部３１Ｋの底部３１ＫＢ（図１９）に形成された螺子が切られた取付用貫通口３１ＤＡに取り付けられ、吐出管５Ｃの取付側端部５ＣＢに水中ポンプ４Ｂの吐出口４ＢＢから連通管４Ｃが接続されている。図２２で示す様に、吐出管５Ｃの吐水口５ＣＡは上方部材３１内において、下方に（充填された水Ｗに）向けられている。
図２２、図２３では、電気配線コード３ＡＡ、３ＢＡの表示は省略している。
なお、水中ポンプ４Ｂとヒーター３Ａは同時に作動させることも出来るが、それぞれ単独で作動させても良い。
【００６６】
第３実施形態に係る小動物飲用容器３０によれば、水中ポンプ４Ｂとヒーター３Ａを支持プレート９に固定して、指示プレート９を下方部材３２に係止したので、水中ポンプ４Ｂ、ヒーター３Ａと下方部材３２との相対位置を一定にすることが出来る。そして、支持プレート９は、折り返し部９Ｃを下方部材３２の上方延設部３２ＧＢに係止させるという簡単な方法により下方部材３２に固定されるので、指示プレート９を介して水中ポンプ４Ｂ、ヒーター３Ａを下方部材３２に容易に設置することが出来る。
また、水中ポンプ４Ｂ、ヒーター３Ａ、支持プレート９のセットをモジュール化することが出来る。
ここで、支持プレート９の水平方向長さ寸法が、下方部材３２の内側寸法より少し小さい程度に設定されているので、支持プレート９が支持プレート９の長手方向と垂直な方向について動いてしまうこと（がたつくこと）が防止され、下方部材３２に対して良好に保持される。
【００６７】
また、第３実施形態の小動物飲用容器３０によれば、上方部材３１のフィルター収容凹部３１Ｋにフィルター３１Ｌを設けたので、猫等の口から落ちた残渣（残った餌、いわゆる「食べかす」）等がフィルター３１Ｌに捕捉され、水Ｗに混合して容器３０の中で拡散することがなく、水及び容器が正常な状態に保持され、且つ、清掃が容易となる。
図１５〜図２２の第３実施形態におけるその他の構成、作用効果は、図６の第２実施形態と同様である。
【００６８】
図２３は第３実施形態の変形例を示す。
図２３の変形例では、図１５〜図２２の第３実施形態に対して、上部部材３１に取り付けた吐出管の構成が異なっている。
図２３において、吐出管５Ｄは面形状が逆Ｌ字状であり、その吐水口５ＤＡは上方部材３１内に充填された水Ｗ中で水平方向に向けられている。
図２３において、水Ｗが充填された下方部材３２に配置した水中ポンプ４Ｂを作動させると、吐出管５Ｄの吐水口５ＤＡから、上方部材３１内に充填された水Ｗ中に水平方向に向けて吐出される（矢印Ｄ）。これにより、上方部材３１に充填された水Ｗは、吐出管５Ｄの吐水口５ＤＡから吐出された水Ｗにより動かされる。
なお、吐出管５Ｄの吐水口５ＤＡを上方部材３１に充填された水Ｗ中でなく水面より上方に配置し、吐出される水Ｗを上方部材３１に充填された水Ｗの上方から落下させることも可能である。
図２３の第３実施形態の変形例におけるその他の構成、作用効果は、図１５〜図２２の第３実施形態と同様である。
【００６９】
次に、図２４〜図２９を参照して、本発明の第４実施形態を説明する。
第４実施形態に係る小動物飲用容器４０では、加温機器であるヒーター３Ａと、水Ｗを動かす機器である水中ポンプ４Ｂを、それぞれホルダー４３、４４により、下方部材４２（第２の部材）の底部４２Ｂ（閉鎖端部）に固定している。
第４実施形態において、上方部材４１は（図２６）、第１〜第３実施形態の上方部材１、３１と比較して、嵌合本体部、貫通口、フィルター収納部の構造が異なっている。そして第４実施形態の下方部材４２は、第１〜第３実施形態の下方部材２、３２と比較すると、嵌合本体部の構造が異なっている。
【００７０】
図２４において、下方部材４２の底部４２Ｂにおけるヒーター３Ａを配置すべき位置及び水中ポンプ４Ｂを配置すべき位置には、それぞれ、ヒーター３Ａを固定するためのホルダー４３と、水中ポンプ４Ｂを固定するためのホルダー４４が、底部４２Ｂと一体的に形成されている。
ホルダー４３は、側方立ち上がり部４３Ａと後方係止部４３Ｂを備える。側方立ち上がり部４３Ａは、ヒーター３Ａの両側面に沿って立ち上がる様に構成されている。但し、図２４において、ヒーター３Ａの背面側（図２４で看者から離隔した側）の立ち上がり部４３Ａは図示されていない。後方係止部４３Ｂは、ヒーター３Ａの後端面（図２４では左側端面）に沿って立ち上がる形状であり、当該後端面の上端面を係止する後方係止部４３Ｂを備えている。
ホルダー４４は水中ポンプ４Ｂの両側面に沿って立ち上がる様に構成された側方係止部を有していると共に、その上端に係止部を備え、上端の係止部によりヒーター４４の上端面を係止している。図２４では、水中ポンプ４Ｂの背面側（図２４で看者から離隔した側）のホルダー４４の側方係止部は図示されていない。
【００７１】
ホルダー４３、４４は、下方部材４２に一体的に形成されており、ヒーター３Ａ、水中ポンプ４Ｂを柔軟に保持する程度の可撓性を有している。は、温水を収容可能な程度の耐熱性を有する樹脂製である。ここで、ホルダー４３、４４を下方部材４２と同様な耐熱性を有する樹脂で別途作製し、当該別途作製したホルダーを下方部材４２の底部４２Ｂに溶着等で一体的に固定することも可能である。
ホルダー４３により下方部材４２の底部４２Ｂに固定されたヒーター３Ａは電気配線コード３ＡＡを備え、ホルダー４４により下方部材４２の底部４２Ｂに固定された水中ポンプ４Ｂは電気配線コード４ＢＡを有している。
電気配線コード３ＡＡ、４ＢＡは、下方部材４２の底部４２Ｂの端部から下方部材４２の側面部４２Ｃの内面に沿ってそれぞれ立ち上がり、ガイド溝４２ＧＤ（図２５、図２８参照）に案内された後、外部の電源ＰＳ（図２８）に接続される。
【００７２】
下方部材４２は第１〜第３実施形態における下方部材２、３２と同様に、温水を収容可能な程度の耐熱性を有する樹脂製であり、図２５において、上方の開放端部４２Ａと、底部を構成する閉鎖端部４２Ｂ（底部）を備える円筒形状に形成されている。
下方部材４２の側面部４２Ｃの内周径は上方部材４１（図２６）の側面部４１Ｃの外周径より僅かに大きく設定され、下方部材４２の開放端部４２Ａ（上部開口）は上方部材４１の底部４１Ｂ（閉鎖端部）を嵌合可能である。符号４２Ｄは、側面部４２Ｃの上端を示す。
図２５には、上述したホルダー４３、４４が示されているが、下方部材４２の底部４２Ｂに配置されるヒーター３Ａ、水中ポンプ４Ｂは示されていない。
【００７３】
下方部材４２の側面部４２Ｃには、嵌合本体部４２Ｇが一体的に設けられている。
図２５において、嵌合本体部４２Ｇは２本の立ち上がり部４２ＧＡとガイド部４２ＧＢを有している。２本の立ち上がり部４２ＧＡは、円周方向で所定間隔をもって側面部４２Ｃの外方に向けて配置されており、側面部４２Ｃに沿って鉛直方向に延在している（立ち上がっている）。そしてガイド部４２ＧＢは、立ち上がり部４２ＧＡより上方に設けられ、ヒーター３Ａ及び水中ポンプ４Ｂの電源コード３ＡＡ、４ＢＡを案内する機能を有している。
２本の立ち上がり部４２ＧＡは、それぞれ下方部材４２の最下端位置近傍から概略垂直に立ち上がり、下方部材４２の開放端部４２Ａの上端近傍まで延在している。そして、立ち上がり部４２ＧＡの外方端には、上下方向に延在する嵌合凸部４２ＧＣが形成されており、嵌合凸部４２ＧＣは嵌合カバー４５（図２８参照）側の嵌合凹部４５Ｃと嵌合する。
なお、２本の立ち上がり部４２ＧＡの横方向の間隔は、電気配線コード３ＡＡ、４ＢＡが２本の立ち上がり部４２ＧＡ間の空間に配策可能となる様に設定されている。
【００７４】
図２５において、ガイド部４２ＧＢは、下方部材４２の開放端部４２Ａの上端から上方まで延在しており、ガイド部４２ＧＢにおける両端の支柱４２ＧＥに挟まれた領域には、ガイド溝４２ＧＤが２箇所形成されており、ガイド溝４２ＧＤは、ヒーター３Ａ、水中ポンプ４Ｂの電源コード３ＡＡ、４ＢＡを外部の電源に向けて案内する様に形成されている。
但し、嵌合本体部４２Ｇ（立ち上がり部４２ＧＡ及びガイド部４２ＧＢの総称）は、下方部材４２と別体に構成することも可能である。
【００７５】
図２６において、上方部材４１も温水を収容可能な程度の耐熱性を有する樹脂製であり、上方の開放端部４１Ａと、底部である閉鎖端部４１Ｂを備える円筒形状に形成されている。
上方部材４１の側面部４１Ｃは、外周径が下方部材４２（図２５）の側面部４２Ｃの内周径より僅かに小さく設定され、上方部材４１の上端にはフランジ部４１Ｅが形成されている。フランジ部４１Ｅは円周方向に延在しており、フランジ部４１Ｅの外周縁部における直径は、下方部材４２の側面部４２Ｃの外周径よりも僅かに大きくなる様に設定されている。
上方部材４１の底部４１Ｂ（閉鎖端部）側の部分が下方部材４２の開放端部４２Ａ（上部開口）に嵌合する際には、下方部材４１の側面部４２Ｃの上端４２Ｄが上方部材４１のフランジ部４１Ｅに当接し、以て上方部材４１と下方部材４１との相対的な上下方向の位置関係が決定される。
【００７６】
嵌合本体部４１Ｇは、上方部材４１の側面部４１Ｃに一体的に設けられている。そして側面部４１Ｃにおける合本体部４１Ｇの当該円周位置は、半径方向内方に凹んだ部分（凹部）を構成している。
上方部材４１が下方部材４２と嵌合される際、上方部材４１側の嵌合本体部４１Ｇ（外方部材４１の円周方向の凹部）の円周方向における位置は、下方部材４２側の嵌合本体部４２Ｇの位置に対応しており、嵌合本体部４２Ｇは嵌合本体部４１Ｇに係合する。
明確には図示されていないが、上方部材４１の嵌合本体部４１Ｇ（半径方向内方に凹んでいる凹部）の半径方向外方の内側部４１ＧＡに、下方部材４２側のガイド部４２ＧＢの両端の支柱４２ＧＥ（図２５）の外側部を沿わせて嵌入することにより、嵌合本体部４２Ｇと嵌合本体部４１Ｇとの位置決め、嵌合を行うことが出来る。なお、嵌合本体部４１Ｇ（凹部）の大きさは、当該凹部内を電気配線コード３ＡＡ、４ＢＡが配策可能となる様に設定されている。
【００７７】
上方部材４１の底部４１Ｂにおける嵌合本体部４１Ｇ近傍には、吐出管（図２９で後述）の取付用凹部４１Ｈが形成され、凹部４１Ｈの概略中央には雌ネジが形成された吐出管取付口４１ＤＡ（図２９参照）が設けられている。なお、吐出管取付用の凹部４１Ｈは、深さは例えば１０ｍｍ程度であり、図１の第１実施形態で説明した残渣集積用凹部としても機能する。
上方部材４１の底部４１Ｂであって嵌合本体部４１Ｇから離隔する側の周縁近傍には、フィルター収納用の貫通口４１Ｋが形成される。フィルター収納用の貫通口４１Ｋは概略扇形状に形成され、嵌入されるフィルター４１Ｌ（図２７参照）に適合して設定されている。
【００７８】
図２７（Ａ）、（Ｂ）において、フィルター４１Ｌは、平板部４１ＬＡ、筒状収納部４１ＬＢ、フィルター本体４１ＬＣ（図２７（Ｂ）参照）を有している。
平板部４１ＬＡは、上方部材４１の底部４１Ｂに形成されたフィルター収納用の貫通口４１Ｋ（図２６）に係止できる形状、大きさに設定されている。そして平板部４１ＬＡの複数個所（例えば４箇所）に、貫通口４１ＬＤが形成されている。
フィルター４１Ｌを上方部材４１の底部４１Ｂに組み付ける際には、平板部４１ＬＡをフィルター収納用の貫通口４１Ｋ（図２６）に係止し、従来公知の態様で固定すれば良い。
【００７９】
筒状収納部４１ＬＢは、上端が平板部４１ＬＡに固定され、下端は下方に開放されており、全体が筒状体である。筒状収納部４１ＬＢは薄いゴム、ＰＥＴ、或いはその他の樹脂で作製され、内部にはフィルター本体４１ＬＣが収納され、保持或いは固定されている。フィルター本体４１ＬＣとしては、公知の濾過材を使用することが出来る。
フィルター４１Ｌを上方部材４１の底部４１Ｂに組み付け、下方部材４２に嵌合させて小動物飲用容器４０を構成すると、フィルター４１Ｌの平板部４１ＬＡの貫通口４１ＬＤを介して下方部材４２と上方部材４１は連通し、上方部材４１から下方部材４２に向かって水が流通すると共に、残渣（猫等の口から落ちた残った餌等：いわゆる「食べかす」）等がフィルター本体４１ＬＣに捕捉され（フィルター機能が発揮され）、下方部材４２に向かう水及び容器を清浄な状態に維持することができる。
【００８０】
図２８で示す様に、小動物飲用容器４０を組み立てる場合には、上方部材４１側の嵌合本体部４１Ｇと下方部材４２側の嵌合本体部４２Ｇを嵌合させて、上方部材４１と下方部材４２を嵌合させた上、上方部材４１側の嵌合本体部４１Ｇと下方部材４２側の嵌合本体部４２Ｇの嵌合部に嵌合カバー４５を被せる。
嵌合カバー４５は、中空空間を有する箱状部４５Ａと、箱状部４５Ａの下方に連続してコの字状断面を有するコの字断面部４５Ｂを有し、コの字断面部４５Ｂの両側のフランジ部の先端には、上下方向に延在擦る嵌合凹部４５Ｃが形成されている。
箱状部４５Ａの下端は、嵌合カバー４５を被せた際に、上方部材４１の嵌合本体部４１Ｇ（凹部）の上端近傍に位置する。そして、箱状部４５Ａと嵌合本体部４１Ｇ（凹部）は、連続した空間を構成している。嵌合カバー４５のコの字断面部４５Ｂの下端近傍には、切り欠き部４５Ｄが形成されている。
嵌合カバー４５を上方部材４１と下方部材４２の嵌合部に被せる（配置する）際は、嵌合カバー４５のコの字断面部４５Ｂの嵌合凹部４５Ｃを、下方部材４２側の立ち上がり部４２ＧＡの嵌合凸部４２ＧＣに嵌合する。嵌合凹部４５Ｃと嵌合凸部４２ＧＣとの対峙を、図２８では破線の矢印で示している。
【００８１】
図２８を参照して上述した様に小動物飲用容器４０を組み立てると、上方部材４１の嵌合本体部４１Ｇ（凹部）、下方部材４２の側面部４２Ｃの内側面（ガイド部４２ＧＢの内側面を含む）、嵌合カバー４５の箱状部４５Ａ、下方部材４２の２本の立ち上がり部４２ＧＡ、嵌合カバー４５のコの字断面部４５Ｂにより、連続した空間が構成される。
当該連続した空間を介して、下方部材４２に配置されたヒーター３Ａ及び水中ポンプ４Ｂの電源コード３ＡＡ、４ＢＡが延在し、ガイド溝４２ＧＤ及びコの字断面部４５Ｂの切り欠き部４５Ｄを介して、外部電源ＰＳへ接続される。換言すれば、前記連続した空間には、ヒーター３Ａ及び水中ポンプ４Ｂの電源コード３ＡＡ、４ＢＡが収容される。
図２８で示す状態では、ヒーター３Ａ、水中ポンプ４Ｂは上方部材４１に覆われているため、図示されていない。
【００８２】
図２８において、上方部材４１の底部４１Ｂに形成されたフィルター収納用の貫通口４１Ｋ（図２６）にはフィルター４１Ｌが嵌合されており、フィルター４１Ｌの複数個所（例えば４箇所）に貫通口４１ＬＤが形成されている。
上方部材４１の底部４１Ｂの嵌合本体部４１Ｇが配置されている側の周縁近傍に吐出管５Ｅが配置されるが、（図２８では）嵌合本体部４１Ｇ等で隠れている箇所になるため、図２８では示されていない。
吐出管５Ｅは、第２実施形態、第３実施形態の吐出管５Ａ〜５Ｄと同様に構成されているが、詳細は図２９を参照して後述する。
下方部材４２に水Ｗを充填した後、下方部材４２を上方部材４１に嵌合すると、水Ｗはフィルター４１Ｌの貫通口４１ＬＤ等を介して上方部材４１に流入し、上方部材４１にも水が充填される。もちろん、上方部材４１と下方部材４２を嵌合した後に、上方部材４１から水Ｗを供給しても、水Ｗは貫通口４１ＬＤを介して下方部材４２にも充填される。
【００８３】
上方部材４１と下方部材４２を嵌合し、上方部材４１に吐出管５Ｅを取り付けて小動物飲用容器４０を構成した状態が図２９で示されている。図２９において、ヒーター３Ａ及び水中ポンプ４Ｂがホルダー４３、４４（図２４：図２９では図示せず）により下方部材４２の底部４２Ｂに固定されている。なお図２９では、電気配線コード３ＡＡ、３ＢＡ、嵌合本体部４１Ｇ、４２Ｇの図示を省略している。
吐出管５Ｅは、側面形状が逆Ｌ字状の本体部５Ｅ１とストレート管である延長部５Ｅ２を接続して構成され、延長部５Ｅ２は側面の先端近傍（取付時）に吐水口５ＥＡを有する。吐出管５Ｅが延長部５Ｅ２を有する（接続する）ことで、吐出管５Ｅの設置位置より離れた位置において、水を（図２９では上方へ）噴射することが可能になる。
【００８４】
吐出管５Ｅ（本体部５Ｅ１）は、吐出管取付用の凹部４１Ｈ（図２６）近傍に形成された吐出管取付口４１ＤＡに位置しており、吐出管５Ｅ（本体部５Ｅ１）の取付側端部５ＥＢ（下方端部）は、連通管４Ｃにより水中ポンプ４Ｂの吐出口４ＢＢと接続されている。
図２９で示す様に、上方部材４１内の吐出管５Ｅ（延長部５Ｅ２）の吐水口５ＥＡは上方に向けられている。下方部材４２に水Ｗを充填し、水中ポンプ４Ｂを作動させると、上方部材４１内に充填された水Ｗ中にある吐出管５Ｅの吐水口５ＥＡから、上方に向けて水Ｗが吐出される（矢印Ｅ）。これにより、上方部材４１に充填された水Ｗは、吐出管５Ｅの吐水口５ＥＡから噴出された水Ｗにより動かされる。
また、吐出管５Ｅの本体部５Ｅ１として丈の高い部材を採用する等により、吐水口５ＥＡの位置を水面よりも上方にすることも出来る。さらに、吐出管５Ｅの延長部５Ｅ２としてより長尺の部材を採用する等により、吐水口５ＥＡの位置を上方部材４１の周縁近傍にすることも出来る。
なお、水中ポンプ４Ｂとヒーター３Ａは同時に作動させることも出来るが、それぞれ単独で作動させても良い。
【００８５】
ここで、図２９では、吐出管５Ｅ（延長部５Ｅ２）の吐水口５ＥＡは上方に向いているが、横向きにしても良い。その場合、横向きの吐水口５ＥＡから噴出する水により、図２９の場合とは異なった水流を、上方部材４１内に発生させることが出来る。そして、種々の水流を上方部材４１内に発生させることにより、猫等の小動物の関心を高め、水を飲みたいという欲求を惹起することが出来る。
【００８６】
第４実施形態に係る小動物飲用容器４０によれば、下方部材４２の底部４２Ｂにおいて、ヒーター３Ａを配置すべき位置、及び水中ポンプ４Ｂを配置すべき位置に、それぞれヒーター３Ａを固定するためのホルダー４３、水中ポンプ４Ｂを固定するためのホルダー４４を底部４２Ｂに一体的に形成したので、ヒーター３Ａ及び水中ポンプ４Ｂを容易に（ワンタッチで）、確実に、所定の位置（下方部材４１における配置すべき位置）に固定することが出来る。
また、吐出管５Ｅを本体部５Ｅ１に延長部５Ｅ２を接続させることにより、吐出管５Ｅの設置位置から離隔した箇所（例えば上方部材４１の中心近傍、或いは周縁近傍）で吐水することが可能となり、上方部材４１内の水Ｗを適正に動かすことが出来る。それに加えて、吐出管５Ｅからの水Ｗの吐水方向を変える事により、上方部材４１内の水Ｗの流れを種々変化させて、猫等の小動物の関心を引き、水を飲むことを惹起することが出来る。
【００８７】
また、第４実施形態に係る小動物飲用容器４０によれば、上方部材４１の底部４１Ｂに形成されたフィルター収納用の貫通口４１Ｋにフィルター４１Ｌを配置し、フィルター４１Ｌを平板部４１ＬＡ、筒状収納部４１ＬＢ、フィルター本体４１ＬＣで構成し、筒状収納部４１ＬＢには交換可能なフィルター本体４１ＬＣを収納し、平板部４１ＬＡの周縁でフィルター収納用の貫通口４１Ｋに係止している。そのため、フィルター４１Ｌにより、食べ残し等の異物を水Ｗから除去して、水を清浄化して、小動物飲用容器４０を清潔に保つと共に、取り外し等のメンテナンスが容易に出来る。
さらに、上方部材４１と下方部材４２を嵌合させる嵌合本体部４１Ｇ、４２Ｇは、それぞれ上方部材４１、下方部材４２に一体的に設けることが出来る簡単な構造である。そして、嵌合本体部４１Ｇ、４２Ｇを嵌合カバー４５で覆うことにより、電源コードを確実に被覆して、小動物に対する安全性を向上することが出来る。
【００８８】
それに加えて、嵌合本体部４２Ｇのガイド部４２ＧＢには２つのガイド溝４２ＧＤが形成され、下方部材４２に配置されたヒーター３Ａ及び水中ポンプ４Ｂの電源コード３ＡＡ、４ＢＡを外部の電源に向けて確実に案内することが出来る。
図２４〜図２９の第４実施形態におけるその他の構成、作用効果は、図６の第２実施形態と、図１６〜図２３の第３実施形態と同様である。
【００８９】
図３０は、第４実施形態の変形例を示す。
図３０の変形例では、図２４〜図２９の第４実施形態の上方部材４１に対して、その上面（開放部）を覆うドーム状の蓋４６を配置したことと、上方部材４１に取り付ける吐出管５Ｆが異なっている。
ドーム状の蓋４６は、概略円形平面の頂面４６Ａと、頂面４６Ａから各方向の周縁部に向けて滑らかに下降する側面４６Ｂを有している。そして側面４６Ｂには、円周方向において、緩やかな凸部４６Ｃ（突出部）と凹部（溝部、隣接する凸部４６Ｃ間の部分）が交互に形成されている。ここで、凸部４６Ｃ（突出部）とその間の凹部は、半径方向に延在しており、頂面４６Ａから側面４６Ｂの周縁部に曲面および稜線を形成している。そして、ドーム状の蓋４６の側面４６Ｂの周縁部の１箇所には、後述する吐出管５Ｆを延在させるための切欠き部４６Ｄが形成されている。
ドーム状の蓋４６（の側面４６Ｂ）の周縁部には複数の図示しない係止部を備えており、当該係止部を上方部材４１の側面部４１Ｃ（図２６）の内周部に設けた図示しない複数の受け部に係止させて、ドーム状の蓋４６を上方部材４１に取り付ける。
図３０では、上方部材４１と下方部材４２を嵌合し、ドーム状の蓋４６を上方部材４１に取り付けている。
【００９０】
吐出管５Ｆは、上方部材４１の吐出管取付口４１ＤＡ（図２６、図２９参照）に接続され、下方部材４２に配置された水中ポンプ４Ｂ（図２９参照）に連通している。
吐出管５Ｆは、ストレート管である本体部５Ｆ１とＪ字管である延長部５Ｆ２を接続して構成され、延長部５Ｆ２は先端の端面に吐水口５ＦＡを有する。延長部５Ｆ２により、吐出管５Ｆから離れた位置にある頂面４６Ａの上方位置から水Ｗを吐出することが出来る。
図２９において、下方部材４２に水Ｗを充填し、水中ポンプ４Ｂを作動させると、ドーム状の蓋４６の頂面４６Ａの上方位置で、当該頂面４６Ａの近傍に位置する吐水口５ＦＡから頂面４６Ａに向けて水Ｗが吐出される（矢印Ｆ１）。吐出された水Ｗは、頂面４６Ａから側面４６Ｂの周縁部に向かって半径方向外方に流れ、ドーム状の蓋４６の円周方向に亘って形成された凹部（溝部、隣接する凸部４６Ｃ間の部分）を概略均等に流れて（矢印Ｆ２）、ドーム状の蓋４６の周縁部と上方部材４１の側面部４１Ｃの間の隙間から上方部材４１内に流入する。
ドーム状の蓋４６の表面を（溝部を）薄く均等に流れる水流（矢印Ｆ２）は、猫等の小動物の興味を惹起する。
【００９１】
図３０では、吐出管５Ｆ（延長部５Ｆ２）の吐水口５ＦＡを延長部５Ｆ２の先端の端面に設けていた。しかし、吐出管５Ｆ（延長部５Ｆ２）の吐水口５ＦＡを、延長部５Ｆ２の先端近傍の側面に、全周に亘って複数個を設けることも可能である。この場合も、吐水口から吐出された水Ｗは、頂面４６Ａ或いは頂面４６Ａ周辺から半径方向に側面４６Ｂの周縁部に向かって、蓋４６の円周方向に亘って概略均等に、側面４６Ｂに形成された凹部（溝部：隣接する凸部４６Ｂ間の部分）を流れる。
図示は省略するが、吐出管５Ｆを取り外し、ドーム状の蓋４６を回転して、蓋４６の切欠き部４６Ｄを嵌合本体部４１Ｇ（４２Ｇ）近傍以外の位置にすれば、切欠き部４６Ｄはドーム上の蓋４６の内部に侵入するための入口となる。その様にすれば、ドーム状の蓋４６内は、温水が充填されて、小動物にとって安全な隠れ場となる。ドーム状の蓋４６内をその様な隠れ場にすることは、特に爬虫類或いは両生類にとって絶好の休息所となる。
【００９２】
第４実施形態の変形例に係る小動物飲用容器４０−１によれば、上方部材４１の上面を覆うドーム状の蓋４６を配置し、吐出管５Ｆからドーム状の蓋４６の頂面４６Ａに向けて水Ｗを吐出しているので、ドーム状の蓋４６の表面に形成された溝部に水Ｗが均一に流れ、小動物の興味を引くことが出来る。またドーム状の蓋４６を配置することにより、上方部材４１の水Ｗの寒さによる冷却や、蒸発を防止することが出来る。
さらに、吐出管５Ｆを取り外して、ドーム上の蓋４６を回転することにより、爬虫類や両生類等の休息所を提供することが出来る。
図３０の第４実施形態の変形例におけるその他の構成、作用効果は、図２４〜図２９の第４実施形態と同様である。
【００９３】
図示の実施形態はあくまでも例示であり、本発明の技術的範囲を限定する趣旨の記述ではないことを付記する。
例えば、図示の実施形態では猫の水飲みとして説明しているが、一部の爬虫類やその他の陸棲小動物の飲料用容器としても適用可能である。
また、加温機器３と水を動かす機器４についても、図示の実施形態に限定されるものではなく、従来公知の機器を自在に組み合わせることが出来る。
【符号の説明】
【００９４】
１、３１、４１・・・上方部材１（第１の部材）
１Ａ、３１Ａ、４１Ａ・・・開放端部
１Ｂ、３１Ｂ、３１Ｂ・・・閉鎖端部（底部）
１Ｃ、３１Ｃ、４１Ｃ・・・側面部
１Ｄ、３１Ｄ、４１Ｋ・・・貫通口
１Ｅ、３１Ｅ、４１Ｅ・・・フランジ部
１Ｆ・・・配線（配管）中継部
１Ｇ、３１Ｇ、４１Ｇ・・・嵌合本体部
１ＧＡ・・・嵌合凸部
１ＧＢ・・・切り欠き部
１Ｈ・・・残渣集積用凹部
１Ｉ・・・ヒーター取付部
１Ｊ・・・螺子が切られた貫通口（吐出管の取り付け口）
２、３２、４２・・・下方部材（第２の部材）
２Ａ、３２Ａ、４２Ａ・・・開放端部（上部開口）
２Ｂ、３２Ｂ、４２Ｂ・・・閉鎖端部（底部）
２Ｃ、３２Ｃ、４２Ｃ・・・側面部
２Ｄ、３２Ｄ、４２Ｄ・・・側面部の上端
２Ｅ・・・ガイド部
２Ｇ、３２Ｇ、４２Ｇ・・・嵌合本体部
２ＧＡ・・・嵌合凹部
３・・・加温機器
３Ａ・・・ヒーター
３ＡＡ・・・電気配線コード
３Ｂ・・・平板状のヒーター
４・・・水を動かすための機器
４Ａ・・・エアポンプ（本体）
４ＡＡ・・・エアチューブ
４ＡＢ・・・エア吐出口
４Ｂ・・・水中ポンプ
４ＢＡ・・・電気配線コード
４ＢＢ・・・吐出口
４Ｃ・・・連通管
５Ａ、５Ｂ、５Ｃ、５Ｄ、５Ｅ、５Ｆ・・・吐出管
５ＡＡ、５ＢＡ、５ＣＡ、５ＤＡ、５ＥＡ、５ＦＡ・・・吐出口
５ＡＢ、５ＢＢ、５ＣＢ、５ＤＢ、５ＥＢ・・・取付側端部
５Ｅ１、５Ｆ１・・・本体部
５Ｅ２、５Ｆ２・・・延長部
６・・・傘状吐出管
７・・・逆傘状吐出管
６Ａ、７Ａ・・・本体部
６Ｂ、７Ｂ・・・案内部
６ＡＡ、７ＡＡ・・・エア導入口
６ＡＢ、７ＡＢ・・・エア吐出口
８・・・球状吐出管
８Ａ・・・取付部
８Ｂ・・・エア導入口
９・・・支持プレート
９Ａ・・・水平部
９Ｂ・・・立ち上がり部
９Ｃ・・・折り返し部
９Ｄ・・・ガイド溝
９Ｅ・・・留め具
１０、１１、２０、２１、２２、２３、２４、２５、２６、３０、３０−１、４０、４０−１・・・小動物飲用容器
３１ＤＡ・・・雌ネジが形成された貫通口（吐出管の取付用貫通口）
３１ＧＡ・・・嵌合凹部
３１ＧＢ・・・（嵌合本体部の）上方部分
３１ＧＣ・・・（嵌合本体部の）下方部分
３１ＧＤ・・・切り欠き部
３１Ｋ・・・フィルター収容凹部
３１ＫＡ・・・フィルター係止溝
３１ＫＢ・・・底部
３１Ｌ・・・フィルター
３１ＬＤ・・・貫通口
３１ＬＤＡ・・・螺子が切られた貫通口（吐出管の取付用貫通口）
３２ＧＡ・・・嵌合凸部
３２ＧＢ・・・上方延設部
４１ＤＡ・・・吐出管取付口
４１ＧＡ・・・内側部
４１Ｈ・・・吐出管取付用の凹部
４１Ｋ・・・フィルター収納用の貫通口
４１Ｌ・・・フィルター
４１ＬＡ・・・平板部
４１ＬＢ・・・筒状収納部
４１ＬＣ・・・フィルター本体
４１ＬＤ・・・貫通口
４２ＧＡ・・・立ち上がり部
４２ＧＢ・・・ガイド部
４２ＧＣ・・・嵌合凸部
４２ＧＤ・・・ガイド溝
４２ＧＥ・・・支柱
４３、４４・・・ホルダー
４３Ａ・・・立ち上がり部
４３Ｂ・・・後方係止部
４５・・・嵌合カバー
４５Ａ・・・箱状部
４５Ｂ・・・コの字断面部
４５Ｃ・・・嵌合凹部
４５Ｄ・・・切り欠き部
４６・・・ドーム状の蓋
４６Ａ・・・頂面
４６Ｂ・・・側面
４６Ｃ・・・凸部
４６Ｄ・・・切欠き部
ＰＳ・・・外部電源
Ｗ・・・水
【図１】
2018023354.tif 000003
【図２】
2018023354.tif 000004
【図３】
2018023354.tif 000005
【図４】
2018023354.tif 000006
【図５】
2018023354.tif 000007
【図６】
2018023354.tif 000008
【図７】
2018023354.tif 000009
【図８】
2018023354.tif 000010
【図９】
2018023354.tif 000011
【図１０】
2018023354.tif 000012
【図１１】
2018023354.tif 000013
【図１２】
2018023354.tif 000014
【図１３】
2018023354.tif 000015
【図１４】
2018023354.tif 000016
【図１５】
2018023354.tif 000017
【図１６】
2018023354.tif 000018
【図１７】
2018023354.tif 000019
【図１８】
2018023354.tif 000020
【図１９】
2018023354.tif 000021
【図２０】
2018023354.tif 000022
【図２１】
2018023354.tif 000023
【図２２】
2018023354.tif 000024
【図２３】
2018023354.tif 000025
【図２４】
2018023354.tif 000026
【図２５】
2018023354.tif 000027
【図２６】
2018023354.tif 000028
【図２７】
2018023354.tif 000029
【図２８】
2018023354.tif 000030
【図２９】
2018023354.tif 000031
【図３０】
2018023354.tif 000032